【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
コンテンツを利用可能な閉鎖的なグループへの、クライアント機器の加入の許否を決定するグループ加入認可システムであって、
クライアント機器に備えられ、当該クライアント機器が現時点までに既加入のグループ数と加入可能な最大グループ数とから、新たなグループへの加入申し込みの可否を決定する第１制限手段と、
グループ加入クライアント機器へコンテンツを提供するサーバ機器に備えられ、当該サーバ機器に現時点までに登録されているクライアント機器の数と登録可能な最大制限台数とから、新たに加入を申し込んできたクライアント機器の加入の許否を決定する第２制限手段と
から構成されることを特徴とするグループ加入認可システム。
【請求項２】
前記第１制限手段にて加入申し込みを制限されなかった前記クライアント機器は、グループへの加入申し込みをする場合、登録要求と共に、当該クライアント機器に固有の情報を前記サーバ機器へ送信し、
前記第２制限手段にて加入を許可する場合、前記サーバ機器は、前記登録要求と共に固有情報を受信して登録し、グループ識別情報をクライアント機器へ送信し、
前記クライアント機器は、前記グループ識別情報を受信し、記憶する。
ことを特徴とする請求項１記載のグループ加入認可システム。
【請求項３】
コンテンツの利用を許可された範囲であるグループに所属し、前記グループへの加入を要求するクライアント機器を登録するサーバ機器であって、
前記クライアント機器から、前記クライアント機器に固有の固有情報と、当該サーバ機器への登録要求とを受け付ける受付手段と、
前記クライアント機器が正当な機器であれば、当該サーバ機器に、登録されている他のクライアント機器の登録台数が、当該サーバ機器に登録可能な最大の制限台数より少ないか否かを判断する判断手段と、
前記判断手段が少ないと判断する場合、前記受け付けた固有情報を登録する登録手段と、
前記固有情報が登録されると、前記クライアント機器へ、当該サーバ機器が所属するグループを識別する識別情報を送信する通信手段と
から構成されることを特徴とするサーバ機器。
【請求項４】
前記受付手段は、前記第１認証値を含む登録要求を受け付け、
前記判断手段は、更に、第２認証値を予め保持しており、前記第１認証値が前記第２認証値と一致するか否かを判断し、一致すると判断する場合、前記クライアント機器を正当な機器であると判断する
ことを特徴とする請求項３記載のサーバ機器。
【請求項５】
前記判断手段は、前記クライアント機器が、当該サーバ機器が接続されているローカルエリアネットワークに接続されているか否かを判断し、接続されていると判断する場合に、正当な機器であると判断する
ことを特徴とする請求項３記載のサーバ機器。
【請求項６】
前記グループに所属する他のサーバ機器及び前記サーバ機器のうち、他のサーバ機器が前記グループの代表サーバ機器に決定されると、
前記通信手段は、前記受付手段が前記登録要求と前記固有情報とを受け付けると、前記代表サーバ機器に前記登録要求と前記固有情報とを通知し、
前記代表サーバ機器は、当該代表サーバ機器に登録しているクライアント機器の台数が、当該代表サーバ機器に登録可能な最大の数より少ないか否かを判断し、少ないと判断する場合、前記固有情報を、当該代表サーバ機器に登録し、判断結果として当該代表サーバ機器が所属するグループを識別する代表識別情報を前記サーバ機器へ出力し、
前記判断手段は、前記登録台数が前記制限台数より少ないか否かを判断する代わりに、前記他のサーバ機器から前記判断結果を受け取り、
前記通信手段は、前記判断結果を前記クライアント機器へ送信する
ことを特徴とする請求項３記載のサーバ機器。
【請求項７】
前記通信手段は、前記他のサーバ機器との間で、何れのサーバ機器を前記代表サーバ機器とするか決定する決定部を備える
ことを特徴とする請求項６記載のサーバ機器。
【請求項８】
前記決定部は、前記他のサーバ機器及び当該サーバ機器の、それぞれの優先順位、処理能力及び処理状況の内、予め設定された条件を基にして、前記代表サーバ機器を決定する
ことを特徴とする請求項７記載のサーバ機器。
【請求項９】
前記通信手段は、更に、受け付けた前記固有情報を含み、前記クライアント機器を登録可能であるかを問い合わせる問合情報を、前記グループに所属する他のサーバ機器へ送信し、
前記他のサーバ機器は、当該他のサーバ機器に登録している他のクライアント機器の台数が、他のサーバ機器に登録可能な最大の数より少ないか否かを判断し、少ないと判断する場合、前記固有情報を登録し、前記サーバ機器へ、判断結果として前記他のサーバ機器が所属するグループを識別する他の識別情報を送信し、
前記判断手段は、前記登録台数が前記制限台数より少ないか否かを判断する代わりに、前記他のサーバ機器から判断結果を受信し、
前記通信手段は、前記判断結果を前記クライアント機器へ送信する
ことを特徴とする請求項３記載のサーバ機器。
【請求項１０】
前記通信手段は、前記判断手段が前記登録台数と前記制限台数とが同一であると判断する場合、前記他のサーバ機器へ、前記問合情報を送信する
ことを特徴とする請求項９記載のサーバ機器。
【請求項１１】
前記通信手段は、更に、前記他のサーバ機器から、当該他のサーバ機器が所属するグループを識別する第1識別情報を取得し、
前記判断手段は、更に、当該サーバ機器が所属するグループを識別する第2識別情報を保持し、取得した前記第1識別情報が、前記第2識別情報と一致するか否かを判断し、
前記通信手段は、一致すると判断する場合に、前記問合情報を送信する
ことを特徴とする請求項９記載のサーバ機器。
【請求項１２】
前記通信手段は、グループ外の管理装置から、当該サーバ機器に登録可能な最大の台数を取得し、取得した台数に応じて代金を支払い、
前記判断手段は、前記台数を前記制限台数とする
ことを特徴とする請求項３記載のサーバ機器。
【請求項１３】
前記通信手段は、更に、グループ外の管理装置から新たに登録可能な台数を取得し、取得した台数に応じて代金を支払い、
前記判断手段は、前記制限台数に前記台数を加えた台数を新たな制限台数とする
ことを特徴とする請求項３記載のサーバ機器。
【請求項１４】
前記サーバ機器は、更に、
コンテンツ鍵を用いて暗号化した暗号化コンテンツと前記コンテンツ鍵とを蓄積しているコンテンツ格納手段と、
クライアント機器との間で共有鍵を生成する鍵生成手段と、
前記共有鍵を用いて前記コンテンツ鍵を暗号化して暗号化コンテンツ鍵を生成する暗号化手段とを備え、
前記受付手段は、クライアント機器からコンテンツの配送要求と固有情報とを受け付け、
前記判断手段は、前記固有情報と同一の固有情報が登録されているか否かを判断し、
前記通信手段は、登録されていると判断する場合、前記暗号化コンテンツ及び前記暗号化コンテンツ鍵を要求元のクライアント機器へ送信する
ことを特徴とする請求項３記載のサーバ機器。
【請求項１５】
前記登録手段は、更に、前記固有情報を登録する期間である有効期限情報を生成し、前記固有情報と対応付けて登録し、前記有効期限により示される期間の経過を監視しており、前記有効期限情報が示す期間が終了すると、前記固有情報を削除し、
前記判断手段は、前記登録手段が前記固有情報を登録すると、前記登録台数を増やし、前記固有情報を削除すると、前記登録台数を減らす
ことを特徴とする請求項３記載のサーバ機器。
【請求項１６】
前記通信手段は、前記登録手段が前記固有情報を登録すると、前記クライアント機器へ前記有効期限情報を送信する
ことを特徴とする請求項１５記載のサーバ機器。
【請求項１７】
前記通信手段は、前記有効期限情報が示す期間が終了すると、前記クライアント機器へ、前記有効期限情報が示す期間が終了したことを示す終了通知を送信する
ことを特徴とする請求項１５記載のサーバ機器。
【請求項１８】
前記受付手段は、前記クライアント機器から、脱退要求と前記固有情報とを受け付け、
前記登録手段は、前記固有情報と同一の固有情報を削除し、
前記判断手段は、前記登録手段が前記固有情報を登録すると、前記登録台数を増やし、前記固有情報を削除すると、前記登録台数を減らす
ことを特徴とする請求項３記載のサーバ機器。
【請求項１９】
前記登録手段は、更に、前記削除した固有情報を、脱退リストに登録し、
前記判断手段は、更に、前記受付手段が受け付けた前記固有情報と同一の固有情報が、前記脱退リストに登録されているか否かを判断し、登録されていると判断する場合、要求元のクライアント機器を登録不可であると判断し、
前記登録手段は、前記判断手段が登録不可であると判断する場合、前記固有情報の登録を抑制する
ことを特徴とする請求項１８記載のサーバ機器。
【請求項２０】
前記サーバ機器は、更に、
別のサーバ機器との間で、前記グループに加入しているクライアント機器から、前記グループへの加入を継続するクライアント機器と、前記グループから脱退し、前記別のサーバ機器が所属する別のグループへ加入するクライアント機器とを選択する選択手段を含み、
前記登録手段は、前記別のグループに加入すると選択されたクライアント機器の固有情報を削除し、前記登録台数から削除した台数分を減らす
ことを特徴とする請求項３記載のサーバ機器。
【請求項２１】
前記選択手段は、更に、前記グループに所属する複数のサーバ機器間で、前記別のサーバ機器となるサーバ機器を選択する
ことを特徴とする請求項２０記載のサーバ機器。
【請求項２２】
前記選択手段は、前記グループに加入しているクライアント機器の中から、前記別のサーバ機器となるクライアント機器を選択する
ことを特徴とする請求項２０記載のサーバ機器。
【請求項２３】
前記選択手段は、前記グループに加入している前記クライアント機器の中から、各クライアント機器の優先順位、処理能力又は処理状況のうち、予め設定された条件を基にして、前記別のサーバ機器となるクライアント機器を選択する
ことを特徴とする請求項２２記載のサーバ機器。
【請求項２４】
前記受付手段は、更に、前記クライアント機器それぞれの優先順位を受け付け、
前記選択手段は、前記優先順位を基に、前記グループへの加入を継続するクライアント機器と、前記グループから脱退し、前記別のグループに加入するクライアント機器とを選択する
ことを特徴とする請求項２０記載のサーバ機器。
【請求項２５】
前記登録手段は、
現在の日時を計時する計時部と、
前記判断手段が前記登録台数より前記制限台数の方が少ないと判断する場合、更に、前記計時部が計時した日時を取得して登録日時とし、前記登録日時と、前記固有情報とを対応付けて登録リストに登録する固有情報書込部とを含み、
前記選択手段は、前記登録日時を基に、クライアント機器を選択する
ことを特徴とする請求項２０記載のサーバ機器。
【請求項２６】
前記判断手段は、登録機器リストに登録されている固有情報の前記登録台数が、前記制限台数より少ないか否かを判断し、
前記登録手段は、少ないと判断する場合、前記受け付けた固有情報を前記登録機器リストに登録する
ことを特徴とする請求項３記載のサーバ機器。
【請求項２７】
前記サーバ機器は、更に、
外部から、固有情報の入力を受け付ける入力手段を備え、
前記判断手段は、入力を受け付けた前記固有情報を、仮登録リストに登録し、前記受付手段が前記固有情報を受け付けると、仮登録リストに、前記固有情報と一致する固有情報が登録されているか否かを判断し、
前記登録手段は、登録されていると判断し、且つ前記登録台数が前記制限台数より少ないと判断する場合、前記固有情報を登録リストに登録する
ことを特徴とする請求項２６記載のサーバ機器。
【請求項２８】
前記通信手段は、前記グループに所属する他のサーバ機器に、前記登録機器リストを送信し、前記他のサーバ機器から他の登録機器リストを受信して登録機器リストを交換し、
前記判断手段は、前記他の登録機器リストから、前記登録機器リストには登録されていない固有情報を抽出し、抽出した固有情報の数が、前記制限台数と前記登録台数との差である残数より小さいか否かを判断し、
前記登録手段は、前記判断手段が小さいと判断する場合、前記抽出した固有情報を前記登録機器リストに登録し、大きいと判断する場合、前記登録機器リストに登録している固有情報と、前記抽出した固有情報とから、前記制限台数が示す台数分の固有情報を選択し、選択した固有情報を前記登録機器リストに登録する
ことを特徴とする請求項２６記載のサーバ機器。
【請求項２９】
前記登録手段は、
現在の日時を計時する計時部と、
前記判断手段が前記登録台数より前記制限台数の方が少ないと判断する場合、前記計時部から日時を取得し、取得した日時を登録日時として、前記登録日時と前記固有情報とを対応付けて前記登録機器リストに登録し、前記判断手段が、前記抽出した固有情報の数が、前記残数より多いと判断する場合、前記固有情報を選択し、前記登録機器リストに書き込む固有情報書込部とを含む
ことを特徴とする請求項２８記載のサーバ機器。
【請求項３０】
前記受付手段は、更に、前記クライアント機器の優先順位を取得し、
前記判断手段が、前記抽出した固有情報の数が、前記残数より大きいと判断する場合、前記固有情報書込部は、前記優先順位が高いクライアント機器の順に前記制限台数が示す台数分の固有情報を選択する
ことを特徴とする請求項２８記載のサーバ機器。
【請求項３１】
前記通信手段は、更に、前記他のサーバ機器から、当該他のサーバ機器が所属するグループを識別する第1識別情報を取得し、
前記判断手段は、更に、当該サーバ機器が所属するグループを識別する第２識別情報を保持し、取得した前記第1識別情報が、前記第２識別情報と一致するか否かを判断し、
前記通信手段は、一致すると判断する場合に、前記登録機器リストを交換する
ことを特徴とする請求項２８記載のサーバ機器。
【請求項３２】
前記サーバ機器は、更に、
前記グループと他のグループとをマージして新グループを形成する場合、前記新グループに所属すると決定されると、前記別のグループに所属している別のサーバ機器との間で、前記新グループを識別する新識別情報を決定する決定手段を含み、
前記通信手段は、前記別のサーバ機器へ前記登録機器リストを送信し、前記別のサーバ機器から、当該別のサーバ機器が保持する別の登録機器リストを受信し、
前記判断手段は、前記別の登録機器リストから前記登録機器リストに登録されていない固有情報を抽出し、前記抽出した固有情報の数が、前記制限台数と前記登録台数との差である残数より小さいか否かを判断し、小さいと判断する場合、前記登録台数を前記抽出した固有情報の数だけ増やし、大きいと判断する場合、前記登録台数を前記制限台数と同一にし、
前記登録手段は、前記抽出した固有情報の数が前記残数より小さいと判断する場合、前記抽出した固有情報を前記登録機器リストに登録し、大きいと判断する場合、前記登録機器リストに登録している固有情報及び抽出した固有情報から、前記制限台数が示す台数分の固有情報を選択し、前記登録機器リストに登録し、
前記通信手段は、前記登録機器リストに登録した固有情報が示すクライアント機器へ前記新識別情報を送信する
ことを特徴とする請求項２６記載のサーバ機器。
【請求項３３】
前記登録手段は、
現在の日時を計時する計時部と、
前記判断手段が前記登録台数より、前記制限台数の方が少ないと判断する場合、前記計時部から日時を取得し、取得した日時を登録日時として前記登録日時と前記固有情報とを対応付けて前記登録機器リストに登録し、前記判断手段が、前記抽出した固有情報の数が、前記残数より多いと判断する場合、前記抽出した固有情報の、対応する登録日時が早い順に、前記固有情報を選択する固有情報書込部を含む
ことを特徴とする請求項３２記載のサーバ機器。
【請求項３４】
前記受付手段は、更に、前記クライアント機器それぞれの優先順位を受け付け、
前記登録手段は、前記優先順位が高いクライアント機器の固有情報から順に、前記制限台数分の固有情報を選択する
ことを特徴とする請求項３２記載のサーバ機器。
【請求項３５】
コンテンツの利用を許可された範囲であるグループに所属するサーバ機器に登録して前記グループに加入するクライアント機器であって、
前記サーバ機器が正当な機器であれば、当該クライアント機器が加入している別のグループの登録数が、当該クライアント機器が加入可能なグループの最大の加入可能数より少ないか否かを判断する判断手段と、
前記判断手段が少ないと判断する場合、当該クライアント機器に固有の固有情報と、前記サーバ機器への登録を示す登録要求とを前記サーバ機器へ送信し、前記サーバ機器から、前記サーバ機器が所属するグループを識別する識別情報を受信する通信手段と、
受信した前記識別情報を登録する登録手段と
から構成されることを特徴とするクライアント機器。
【請求項３６】
前記クライアント機器は、更に、
外部から、認証値の入力を受け付ける入力受付手段を備え、
前記通信手段は、前記認証値を含む登録要求を送信する
ことを特徴とする請求項３５記載のクライアント機器。
【請求項３７】
前記判断手段は、更に、サーバ機器との距離、サーバ機器との通信時間、サーバ機器の処理能力又はサーバ機器の処理状態のうち、予め設定された条件を基にして、同一グループに所属する複数のサーバ機器から1個のサーバ機器を選択し、
前記通信手段は、前記選択したサーバ機器へ前記登録要求と前記固有情報とを送信する
ことを特徴とする請求項３５記載のクライアント機器。
【請求項３８】
前記通信手段は、更に、グループ外の管理装置から、当該クライアント機器が加入可能なグループの最大の数を取得し、取得した数に応じて代金を支払い、
前記判断手段は、前記取得した数を前記加入可能数とする
ことを特徴とする請求項３５記載のクライアント機器。
【請求項３９】
前記通信手段は、更に、グループ外の管理装置から新たに、当該クライアント機器が加入可能なグループの数を取得し、取得した数に応じて代金を支払い、
前記判断手段は、前記加入可能数に前記取得した数を加えた数を、新たな加入可能数とする
ことを特徴とする請求項３５記載のクライアント機器。
【請求項４０】
前記通信手段は、前記登録要求を送信した後、更に、当該クライアント機器が前記サーバ機器に登録されている期間を示す有効期限情報を受信し、
前記登録手段は、前記有効期限情報により示される期間の経過を監視しており、前記有効期限情報が示す期間が終了すると、前記識別情報を削除し、
前記判断手段は、前記登録手段が前記識別情報を登録すると、前記登録数を増やし、前記識別情報を削除すると、前記登録数を減らす
ことを特徴とする請求項３５記載のクライアント機器。
【請求項４１】
前記通信手段は、前記識別情報を受信した後、更に、当該クライアント機器が前記サーバ機器に登録されている期間が終了した旨の通知を受信し、
前記登録手段は、前記通知を受信すると、前記識別情報を削除し、
前記判断手段は、前記登録手段が前記識別情報を登録すると、前記登録数を増やし、前記識別情報を削除すると、前記登録数を減らす
ことを特徴とする請求項３５記載のクライアント機器。
【請求項４２】
前記通信手段は、前記グループから脱退することを示す脱退要求を前記サーバ機器へ送信し、前記サーバ機器から、脱退処理が完了したことを示す脱退完了通知を受信し、
前記登録手段は、前記脱退完了通知を受信すると、前記識別情報を削除し、
前記判断手段は、前記登録手段が前記識別情報を登録すると、前記登録数を増やし、前記識別情報を削除すると、前記登録数を減らす
ことを特徴とする請求項３５記載のクライアント機器。
【請求項４３】
前記登録手段は、前記削除した識別情報を脱退グループリストに登録し、
前記通信手段は、前記登録要求を送信する前に、前記サーバ機器から前記識別情報を取得し、
前記判断手段は、前記脱退グループリストに、前記取得した識別情報と同一の識別情報が登録されていないか、最後に登録されているか及び最後以外に登録されているかを判断し、
前記通信手段は、登録されていないと判断する場合、又は最後に登録されていると判断する場合に、前記サーバ機器へ前記登録要求を送信する
ことを特徴とする請求項４２記載のクライアント機器。
【請求項４４】
前記通信手段は、更に、前記グループと異なる別のグループに所属する別のサーバ機器及び前記サーバ機器の内、当該クライアント機器が加入している加入グループに所属するサーバ機器から、前記加入グループを識別する識別情報を受信し、
前記登録手段は、前記識別情報を削除し、受信した前記識別情報を登録する
ことを特徴とする請求項３５記載のクライアント機器。
【請求項４５】
前記クライアント機器は、更に、
前記グループとは別のグループに所属する別のサーバ機器になるように選択されると、前記サーバ機器との間で、前記グループに加入しているクライアント機器の中から、前記グループへの加入を継続するクライアント機器と、前記グループを脱退して新たに前記別のグループに加入するクライアント機器とを選択する選択手段を備え、
前記通信手段は、前記別のグループに加入するクライアント機器に、当該別のグループを識別する別の識別情報を送信し、
前記登録手段は、更に、登録されている前記識別情報を削除し、前記別のグループに加入すると選択されたクライアント機器の固有情報を登録する
ことを特徴とする請求項３５記載のクライアント機器。
【請求項４６】
前記選択手段は、前記サーバ機器との間で、前記別のグループに加入するクライアント機器を選択し、
前記通信手段は、選択したクライアント機器の固有情報を、前記サーバ機器から取得し、
前記登録手段は、前記取得した固有情報を登録する
ことを特徴とする請求項４５記載のクライアント機器。
【請求項４７】
前記サーバ機器は、コンテンツを保持しており、
前記クライアント機器は、更に、
前記グループ識別情報を記憶することにより、前記サーバ機器が形成する前記グループへ登録されると、前記サーバ機器から前記コンテンツを取得するコンテンツ取得手段を備える
ことを特徴とする請求項２記載のグループ加入許可システム。
【請求項４８】
前記第１制限手段にて加入申し込みを許可すると決定され、かつ、前記第２制限手段にて加入を許可すると決定された場合に、前記クライアント機器は前記新たなグループへの加入を許可される
ことを特徴とする請求項１記載のグループ加入認可システム。
【請求項４９】
コンテンツの利用を許可された範囲であるグループに所属し、前記グループへの加入を要求するクライアント機器を登録するサーバ機器で用いられる登録方法であって、
前記クライアント機器から、前記クライアント機器に固有の固有情報と、当該サーバ機器への登録要求とを受け付ける受付ステップと、
前記クライアント機器が正当な機器であれば、当該サーバ機器に、登録されている他のクライアント機器の登録台数が、当該サーバ機器に登録可能な最大の制限台数より少ないか否かを判断する判断ステップと、
前記判断ステップが少ないと判断する場合、前記受け付けた固有情報を登録する登録ステップと、
前記固有情報が登録されると、前記クライアント機器へ、当該サーバ機器が所属するグループを識別する識別情報を送信する通信ステップと
を含むことを特徴とする登録方法。
【請求項５０】
コンテンツの利用を許可された範囲であるグループに所属し、前記グループへの加入を要求するクライアント機器を登録するサーバ機器で用いられるコンピュータプログラムであって、
前記クライアント機器から、前記クライアント機器に固有の固有情報と、当該サーバ機器への登録要求とを受け付ける受付ステップと、
前記クライアント機器が正当な機器であれば、当該サーバ機器に、登録されている他のクライアント機器の登録台数が、当該サーバ機器に登録可能な最大の制限台数より少ないか否かを判断する判断ステップと、
前記判断ステップが少ないと判断する場合、前記受け付けた固有情報を登録する登録ステップと、
前記固有情報が登録されると、前記クライアント機器へ、当該サーバ機器が所属するグループを識別する識別情報を送信する通信ステップと
を含むことを特徴とするコンピュータプログラム。
【請求項５１】
コンテンツの利用を許可された範囲であるグループに所属するサーバ機器に登録して前記グループに加入するクライアント機器で用いられるグループ加入方法であって、
前記サーバ機器が正当な機器であれば、当該クライアント機器が加入している別のグループの登録数が、当該クライアント機器が加入可能なグループの最大の加入可能数より少ないか否かを判断する判断ステップと、
前記判断ステップが少ないと判断する場合、当該クライアント機器に固有の固有情報と、前記サーバ機器への登録を示す登録要求とを前記サーバ機器へ送信し、前記サーバ機器から、前記サーバ機器が所属するグループを識別する識別情報を受信する通信ステップと、
受信した前記識別情報を登録する登録ステップと
を含むことを特徴とするグループ加入方法。
【請求項５２】
コンテンツの利用を許可された範囲であるグループに所属するサーバ機器に登録して前記グループに加入するクライアント機器で用いられるコンピュータプログラムあって、
前記サーバ機器が正当な機器であれば、当該クライアント機器が加入している別のグループの登録数が、当該クライアント機器が加入可能なグループの最大の加入可能数より少ないか否かを判断する判断ステップと、
前記判断ステップが少ないと判断する場合、当該クライアント機器に固有の固有情報と、前記サーバ機器への登録を示す登録要求とを前記サーバ機器へ送信し、前記サーバ機器から、前記サーバ機器が所属するグループを識別する識別情報を受信する通信ステップと、
受信した前記識別情報を登録する登録ステップと
を含むことを特徴とするコンピュータプログラム。